【手続補正書】
【提出日】平成29年5月26日(2017.5.26)
【手続補正１】
【補正対象書類名】特許請求の範囲
【補正対象項目名】全文
【補正方法】変更
【補正の内容】
【特許請求の範囲】
【請求項１】
電気通信資源の割り当て、アクセス、又は使用を管理する動的スペクトルアービトラージ（ＤＳＡ）方法であって、
第１の電気通信ネットワークの第１の動的スペクトルコントローラ（ＤＳＣ）のプロセッサにおいて、ｅＮｏｄｅＢから、通常輻輳状態、マイナー輻輳状態、メジャー輻輳状態、またはクリティカル輻輳状態の何れか１つであるものとして前記ｅＮｏｄｅＢを識別する輻輳状態情報を受信することによって、前記第１の電気通信ネットワーク内の前記ｅＮｏｄｅＢの輻輳状態をモニタすることと、
前記ｅＮｏｄｅＢの前記輻輳状態が前記通常輻輳状態から前記メジャー輻輳状態に遷移したと判断することと、
前記ｅＮｏｄｅＢの前記輻輳状態に基づいて前記ｅＮｏｄｅＢの使用を制御することとを含み、
前記ｅＮｏｄｅＢの前記輻輳状態に基づいて前記ｅＮｏｄｅＢの前記使用を制御することは、
前記ｅＮｏｄｅＢの前記輻輳状態が前記通常輻輳状態から前記メジャー輻輳状態に遷移したとの判断に応答して、動的スペクトルポリシコントローラ（ＤＰＣ）と通信して、前記ＤＰＣに、前記第１の電気通信ネットワークへのさらなるハンドオーバを制限するように第２の電気通信ネットワーク内の第２のＤＳＣに指示させ、ハンドオーバを制限すべき所望のクローズド加入者グループ識別子（ＣＳＧ  ＩＤ）を前記第２のＤＳＣに対して識別し、及び前記ＣＳＧ  ＩＤに関連付けられたワイヤレスデバイスのローミングをディセーブルするよう前記第２の電気通信ネットワーク内のホーム移動性管理実体（ＭＭＥ）コンポーネントに指示するように、前記第２のＤＳＣに指示することと、
前記ｅＮｏｄｅＢの前記輻輳状態が前記通常輻輳状態から前記メジャー輻輳状態に遷移したとの判断に応答して、前記第１の電気通信ネットワーク内に非輻輳ターゲットｅＮｏｄｅＢがあるかどうかを判断することと、
前記ターゲットｅＮｏｄｅＢが非輻輳であるとの判断に応答して、前記ターゲットｅＮｏｄｅＢへのワイヤレスデバイスのＳ１ベースのハンドオーバ手順を開始することと、
前記第１の電気通信ネットワーク内に非輻輳ターゲットｅＮｏｄｅＢがないとの判断に応答して、前記ワイヤレスデバイスのサービス品質（ＱｏＳ）低減手順を開始するように、前記ｅＮｏｄｅＢに指示することと
を含む、動的スペクトルアービトラージ（ＤＳＡ）方法。
【請求項２】
前記第１の電気通信ネットワーク内の前記ｅＮｏｄｅＢの前記輻輳状態をモニタすることは、前記プロセッサにより、前記ｅＮｏｄｅＢの前記輻輳状態が、前記通常輻輳状態から前記マイナー輻輳状態に遷移したと判断することをさらに含み、及び
前記ｅＮｏｄｅＢの前記輻輳状態に基づいて前記ｅＮｏｄｅＢの前記使用を制御することは、動的スペクトルポリシコントローラ（ＤＰＣ）と通信して、前記第１の電気通信ネットワークへのさらなるハンドオーバを制限するように、第２の電気通信ネットワーク内の第２のＤＳＣに指示することを含む、請求項１に記載のＤＳＡ方法。
【請求項３】
前記ｅＮｏｄｅＢの前記輻輳状態が前記通常輻輳状態から前記マイナー輻輳状態に遷移したとの判断に応答して、前記プロセッサにより、ハンドオーバを制限すべきワイヤレスデバイスに関連付けられたクローズド加入者グループ識別子（ＣＳＧ  ＩＤ）を特定することをさらに含み、
前記ｅＮｏｄｅＢの前記輻輳状態に基づいて前記ｅＮｏｄｅＢの前記使用を制御することは、前記ＤＰＣを介して前記ＣＳＧ  ＩＤを前記第２のＤＳＣに送信して、前記第２のＤＳＣに、前記ＣＳＧ  ＩＤに関連付けられたワイヤレスデバイスのローミングをディセーブルするように、前記第２の電気通信ネットワーク内のホーム移動性管理実体（ＭＭＥ）に指示させることをさらに含む、請求項２に記載のＤＳＡ方法。
【請求項４】
前記第１の電気通信ネットワーク内の前記ｅＮｏｄｅＢの前記輻輳状態をモニタすることは、前記ｅＮｏｄｅＢの前記輻輳状態が前記通常輻輳状態から前記クリティカル輻輳状態に遷移したと判断することを含み、及び
前記ｅＮｏｄｅＢの前記輻輳状態に基づいて前記ｅＮｏｄｅＢの前記使用を制御することは、
前記ｅＮｏｄｅＢの前記輻輳状態が前記通常輻輳状態から前記メジャー輻輳状態に遷移したとの判断に応答して、動的スペクトルポリシコントローラ（ＤＰＣ）と通信して、前記ＤＰＣに、前記第１の電気通信ネットワークへのさらなるハンドオーバを制限するように第２の電気通信ネットワーク内の第２のＤＳＣに指示させ、ハンドオーバを制限すべき所望のクローズド加入者グループ識別子（ＣＳＧ  ＩＤ）を識別し、及び前記ＣＳＧに関連付けられたワイヤレスデバイスのローミングをディセーブルするように、前記第２の電気通信ネットワークのホーム移動性管理実体（ＭＭＥ）コンポーネントに指示することと、
前記ｅＮｏｄｅＢの前記輻輳状態が前記通常輻輳状態から前記クリティカル輻輳状態に遷移したとの判断に応答して、前記第１の電気通信ネットワーク内に非輻輳ターゲットｅＮｏｄｅＢがあるかどうかを判断することと、
前記ターゲットｅＮｏｄｅＢが非輻輳であるとの判断に応答して、前記ターゲットｅＮｏｄｅＢへのワイヤレスデバイスのＳ１ベースのハンドオーバ手順を開始することと、
前記第１の電気通信ネットワーク内に非輻輳ターゲットｅＮｏｄｅＢがないとの判断に応答して、前記ｅＮｏｄｅＢに取り付けられた前記第２の電気通信ネットワークの全てのワイヤレスデバイスに対してサービス品質（ＱｏＳ）低減手順を開始するように前記ｅＮｏｄｅＢに指示することと、
前記第１の電気通信ネットワーク内に非輻輳ターゲットｅＮｏｄｅＢがないとの判断に応答して、前記第１の電気通信ネットワークの近傍内に任意の非輻輳ｅＮｏｄｅＢがあるかどうかを判断することと、
前記第１の電気通信ネットワークの前記近傍内に非輻輳ｅＮｏｄｅＢがないとの判断に応答して、切断手順を実行するように、ホーム加入者サーバ（ＨＳＳ）に指示することと、
前記Ｓ１ベースのハンドオーバ手順が失敗したとの判断に応答して、前記切断手順を実行するように、前記ＨＳＳに指示することと
を含む、請求項１に記載のＤＳＡ方法。
【請求項５】
前記第１の電気通信ネットワーク内の前記ｅＮｏｄｅＢの前記輻輳状態をモニタすることは、前記ｅＮｏｄｅＢの前記輻輳状態が前記マイナー輻輳状態から前記通常輻輳状態に遷移したと判断することを含み、及び
前記ｅＮｏｄｅＢの前記輻輳状態に基づいて前記ｅＮｏｄｅＢの前記使用を制御することは、
動的スペクトルポリシコントローラ（ＤＰＣ）と通信して、前記ＤＰＣに、ハンドインを有効にするように第２の電気通信ネットワーク内の第２のＤＳＣに指示させることと、
前記第２の電気通信ネットワークの新しいローミングワイヤレスデバイスに対するサポートをイネーブルするように移動性管理実体（ＭＭＥ）に指示することと
を含む、請求項１に記載のＤＳＡ方法。
【請求項６】
前記第１の電気通信ネットワーク内の前記ｅＮｏｄｅＢの前記輻輳状態をモニタすることは、前記ｅＮｏｄｅＢの前記輻輳状態が前記マイナー輻輳状態から前記メジャー輻輳状態に遷移したと判断することを含み、
前記ｅＮｏｄｅＢの前記輻輳状態に基づいて前記ｅＮｏｄｅＢの前記使用を制御することは、動的スペクトルポリシコントローラ（ＤＰＣ）と通信して、前記ＤＰＣに、
前記第１の電気通信ネットワークへのさらなるハンドオーバを制限するように、第２の電気通信ネットワーク内の第２のＤＳＣに指示させることと、
ハンドオーバを制限すべき所望のクローズド加入者グループ識別子（ＣＳＧ  ＩＤ）を前記第２のＤＳＣに対して識別させることと、
前記第２のＤＳＣに、前記ＣＳＧ  ＩＤに関連付けられたワイヤレスデバイスのローミングをディセーブルするように前記第２の電気通信ネットワーク内の移動性管理実体（ＭＭＥ）コンポーネントに指示させることと
を含む、請求項１に記載のＤＳＡ方法。
【請求項７】
前記第１の電気通信ネットワーク内の前記ｅＮｏｄｅＢの前記輻輳状態をモニタすることは、前記ｅＮｏｄｅＢの前記輻輳状態が前記マイナー輻輳状態から前記クリティカル輻輳状態に遷移したと判断することを含み、及び
前記ｅＮｏｄｅＢの前記輻輳状態に基づいて前記ｅＮｏｄｅＢの前記使用を制御することは、
前記ｅＮｏｄｅＢの前記輻輳状態が前記マイナー輻輳状態から前記クリティカル輻輳状態に遷移したとの判断に応答して、前記第１の電気通信ネットワーク内に非輻輳ターゲットｅＮｏｄｅＢがあるかどうかを判断することと、
前記ターゲットｅＮｏｄｅＢが非輻輳であるとの判断に応答して、クローズド加入者グループ識別子（ＣＳＧ  ＩＤ）に基づいて、前記ターゲットｅＮｏｄｅＢへのワイヤレスデバイスのＳ１ベースのハンドオーバ手順を開始することと、
前記第１の電気通信ネットワーク内に非輻輳ターゲットｅＮｏｄｅＢがないとの判断に応答して、Ｓ１ベースのバックオフ手順を使用して、前記第１の電気通信ネットワークの近傍にあると判断される第２のｅＮｏｄｅＢへのワイヤレスデバイスのハンドオーバを試みることと、
前記第１の電気通信ネットワークの前記近傍内に非輻輳ｅＮｏｄｅＢがないとの判断に応答して、切断手順を実行するようにホーム加入者サーバ（ＨＳＳ）に指示することとを含む、請求項１に記載のＤＳＡ方法。
【請求項８】
前記第１の電気通信ネットワーク内の前記ｅＮｏｄｅＢの前記輻輳状態をモニタすることは、前記ｅＮｏｄｅＢの前記輻輳状態が前記メジャー輻輳状態から前記通常輻輳状態に遷移したと判断することを含み、及び
前記ｅＮｏｄｅＢの前記輻輳状態に基づいて前記ｅＮｏｄｅＢの前記使用を制御することは、
ワイヤレスデバイスのサービス品質（ＱｏＳ）レベルを復元するように、ポリシ及び請求規則機能（ＰＣＲＦ）コンポーネントに指示することと、
動的スペクトルポリシコントローラ（ＤＰＣ）と通信して、前記ＤＰＣに、ハンドインをイネーブルするように第２の電気通信ネットワーク内の第２のＤＳＣに指示させることと、
前記第２の電気通信ネットワークの全ての新しいローミングワイヤレスデバイスに対するサポートをイネーブルするように、移動性管理実体（ＭＭＥ）に指示することと
を含む、請求項１に記載のＤＳＡ方法。
【請求項９】
動的スペクトルポリシコントローラ（ＤＰＣ）において、第２の電気通信ネットワーク内の第２のＤＳＣから無線周波数（ＲＦ）スペクトル資源に対する要求を受信することと、
前記ＤＰＣにおいて、前記第１の電気通信ネットワーク内の割り当てに利用可能なＲＦスペクトル資源の量を特定することと、
前記第２の電気通信ネットワーク内の複数のセルサイトによるアクセス及び使用に、前記第１の電気通信ネットワークの利用可能なＲＦスペクトル資源の一部分を動的に割り当てることと、
割り当てられたＲＦスペクトル資源の使用を開始し得ることを前記第２のＤＳＣに通知することと、
前記第２の電気通信ネットワークによる使用に割り当てられたＲＦスペクトル資源の量を識別するトランザクションをトランザクションデータベースに記録することと
をさらに含む、請求項１に記載のＤＳＡ方法。
【請求項１０】
動的スペクトルコントローラ（ＤＳＣ）であって、
少なくとも１つのプロセッサと、
プロセッサ実行可能命令を格納するためのメモリと、を備え、前記プロセッサは、
ｅＮｏｄｅＢから、通常輻輳状態、マイナー輻輳状態、メジャー輻輳状態、またはクリティカル輻輳状態の何れか１つであるものとして前記ｅＮｏｄｅＢを識別する輻輳状態情報を受信することによって、第１の電気通信ネットワーク内の前記ｅＮｏｄｅＢの輻輳状態をモニタすることと、
前記ｅＮｏｄｅＢの前記輻輳状態が前記通常輻輳状態から前記メジャー輻輳状態に遷移したと判断することと、
前記ｅＮｏｄｅＢの前記輻輳状態に基づいて前記ｅＮｏｄｅＢの前記使用を制御することとを含み、
前記ｅＮｏｄｅＢの前記輻輳状態に基づいて前記ｅＮｏｄｅＢの前記使用を制御することは、
前記ｅＮｏｄｅＢの前記輻輳状態が前記通常輻輳状態から前記メジャー輻輳状態に遷移したとの判断に応答して、動的スペクトルポリシコントローラ（ＤＰＣ）と通信して、前記ＤＰＣに、前記第１の電気通信ネットワークへのさらなるハンドオーバを制限するように第２の電気通信ネットワーク内の第２のＤＳＣに指示させ、ハンドオーバを制限すべき所望のクローズド加入者グループ識別子（ＣＳＧ  ＩＤ）を前記第２のＤＳＣに対して識別し、及び前記ＣＳＧ  ＩＤに関連付けられたワイヤレスデバイスのローミングをディセーブルするよう前記第２の電気通信ネットワーク内のホーム移動性管理実体（ＭＭＥ）コンポーネントに指示するように、前記第２のＤＳＣに指示することと、
前記ｅＮｏｄｅＢの前記輻輳状態が前記通常輻輳状態から前記メジャー輻輳状態に遷移したとの判断に応答して、前記第１の電気通信ネットワーク内に非輻輳ターゲットｅＮｏｄｅＢがあるかどうかを判断することと、
前記ターゲットｅＮｏｄｅＢが非輻輳であるとの判断に応答して、前記ターゲットｅＮｏｄｅＢへのワイヤレスデバイスのＳ１ベースのハンドオーバ手順を開始することと、
前記第１の電気通信ネットワーク内に非輻輳ターゲットｅＮｏｄｅＢがないとの判断に応答して、前記ワイヤレスデバイスのサービス品質（ＱｏＳ）低減手順を開始するように、前記ｅＮｏｄｅＢに指示することと
を含む動作を、プロセッサ実行可能命令を用いて実行するように構成される、動的スペクトルコントローラ（ＤＳＣ）。
【請求項１１】
前記プロセッサは、
前記第１の電気通信ネットワーク内の前記ｅＮｏｄｅＢの前記輻輳状態をモニタすることが、前記ｅＮｏｄｅＢの前記輻輳状態が、前記通常輻輳状態から前記マイナー輻輳状態に遷移したと判断することをさらに含み、及び
前記ｅＮｏｄｅＢの前記輻輳状態に基づいて前記ｅＮｏｄｅＢの前記使用を制御することが、動的スペクトルポリシコントローラ（ＤＰＣ）と通信して、前記第１の電気通信ネットワークへのさらなるハンドオーバを制限するように、第２の電気通信ネットワーク内の第２のＤＳＣに指示することを含む動作を、プロセッサ実行可能命令を用いて実行するように構成される、請求項１０に記載のＤＳＣ。
【請求項１２】
前記プロセッサは、前記ｅＮｏｄｅＢの前記輻輳状態が前記通常輻輳状態から前記マイナー輻輳状態に遷移したとの判断に応答して、ハンドオーバを制限すべきワイヤレスデバイスに関連付けられたクローズド加入者グループ識別子（ＣＳＧ  ＩＤ）を特定することをさらに含む動作を、プロセッサ実行可能命令を用いて実行するように構成され、
前記プロセッサは、前記ｅＮｏｄｅＢの前記輻輳状態に基づいて前記ｅＮｏｄｅＢの前記使用を制御することが、前記ＤＰＣを介して前記ＣＳＧ  ＩＤを前記第２のＤＳＣに送信して、前記第２のＤＳＣに、前記ＣＳＧ  ＩＤに関連付けられたワイヤレスデバイスのローミングをディセーブルするように、前記第２の電気通信ネットワーク内のホーム移動性管理実体（ＭＭＥ）に指示させることをさらに含む動作を、プロセッサ実行可能命令を用いて実行するように構成される、請求項１１に記載のＤＳＣ。
【請求項１３】
前記プロセッサは、
前記第１の電気通信ネットワーク内の前記ｅＮｏｄｅＢの前記輻輳状態をモニタすることが、前記ｅＮｏｄｅＢの前記輻輳状態が前記通常輻輳状態から前記クリティカル輻輳状態に遷移したと判断することを含み、及び
前記ｅＮｏｄｅＢの前記輻輳状態に基づいて前記ｅＮｏｄｅＢの前記使用を制御することが、
前記ｅＮｏｄｅＢの前記輻輳状態が前記通常輻輳状態から前記メジャー輻輳状態に遷移したとの判断に応答して、動的スペクトルポリシコントローラ（ＤＰＣ）と通信して、前記ＤＰＣに、前記第１の電気通信ネットワークへのさらなるハンドオーバを制限するように第２の電気通信ネットワーク内の第２のＤＳＣに指示させ、ハンドオーバを制限すべき所望のクローズド加入者グループ識別子（ＣＳＧ  ＩＤ）を識別し、前記ＣＳＧに関連付けられたワイヤレスデバイスのローミングをディセーブルするように、前記第２の電気通信ネットワークのホーム移動性管理実体（ＭＭＥ）コンポーネントに指示することと、
前記ｅＮｏｄｅＢの前記輻輳状態が前記通常輻輳状態から前記クリティカル輻輳状態に遷移したとの判断に応答して、前記第１の電気通信ネットワーク内に非輻輳ターゲットｅＮｏｄｅＢがあるかどうかを判断することと、
前記ターゲットｅＮｏｄｅＢが非輻輳であるとの判断に応答して、前記ターゲットｅＮｏｄｅＢへのワイヤレスデバイスのＳ１ベースのハンドオーバ手順を開始することと、
前記第１の電気通信ネットワーク内に非輻輳ターゲットｅＮｏｄｅＢがないとの判断に応答して、前記ｅＮｏｄｅＢに取り付けられた前記第２の電気通信ネットワークの全てのワイヤレスデバイスに対してサービス品質（ＱｏＳ）低減手順を開始するように前記ｅＮｏｄｅＢに指示することと、
前記第１の電気通信ネットワーク内に非輻輳ターゲットｅＮｏｄｅＢがないとの判断に応答して、前記第１の電気通信ネットワークの近傍内に任意の非輻輳ｅＮｏｄｅＢがあるかどうかを判断することと、
前記第１の電気通信ネットワークの前記近傍内に非輻輳ｅＮｏｄｅＢがないとの判断に応答して、切断手順を実行するように、ホーム加入者サーバ（ＨＳＳ）に指示することと、
前記Ｓ１ベースのハンドオーバ手順が失敗したとの判断に応答して、前記切断手順を実行するように、前記ＨＳＳに指示することと
を含む動作を、プロセッサ実行可能命令を用いて実行するように構成される、請求項１０に記載のＤＳＣ。
【請求項１４】
動的スペクトルアービトラージ（ＤＳＡ）システムであって、
動的スペクトルポリシコントローラ（ＤＰＣ）プロセッサを備えるＤＰＣと、
第１の電気通信ネットワーク内の第１の動的スペクトルコントローラ（ＤＳＣ）であって、第１の通信リンクを介して前記ＤＰＣに結合された第１のＤＳＣプロセッサを備える、第１のＤＳＣと、
前記第１の電気通信ネットワーク内のｅＮｏｄｅＢであって、第３の通信リンクを介して前記第１のＤＳＣに結合されたｅＮｏｄｅＢプロセッサを備える、ｅＮｏｄｅＢと
を備え、
前記ｅＮｏｄｅＢプロセッサは、
通常輻輳状態、マイナー輻輳状態、メジャー輻輳状態、及びクリティカル輻輳状態の１つであるものとして前記ｅＮｏｄｅＢの輻輳状態を識別する輻輳状態情報を生成することと、
前記輻輳状態情報を前記第１のＤＳＣに送信することと
を含む動作を、プロセッサ実行可能命令を用いて実行するように構成され、
前記第１のＤＳＣプロセッサは、
前記ｅＮｏｄｅＢから受信された前記輻輳状態情報に基づいて、前記ｅＮｏｄｅＢの前記輻輳状態をモニタすることと、
前記ｅＮｏｄｅＢの前記輻輳状態が前記通常輻輳状態から前記メジャー輻輳状態に遷移したと判断することと、
前記ｅＮｏｄｅＢの前記輻輳状態に基づいて前記ｅＮｏｄｅＢの前記使用を制御することとを含み、
前記ｅＮｏｄｅＢの前記輻輳状態に基づいて前記ｅＮｏｄｅＢの前記使用を制御することは、
前記ｅＮｏｄｅＢの前記輻輳状態が前記通常輻輳状態から前記メジャー輻輳状態に遷移したとの判断に応答して、動的スペクトルポリシコントローラ（ＤＰＣ）と通信して、前記第１の電気通信ネットワークへのさらなるハンドオーバを制限するように第２の電気通信ネットワーク内の第２のＤＳＣに指示させ、ハンドオーバを制限すべき所望のクローズド加入者グループ識別子（ＣＳＧ  ＩＤ）を前記第２のＤＳＣに対して識別し、及び前記ＣＳＧ  ＩＤに関連付けられたワイヤレスデバイスのローミングをディセーブルするよう前記第２の電気通信ネットワーク内のホーム移動性管理実体（ＭＭＥ）コンポーネントに指示するように、前記第２のＤＳＣに指示することと、
前記ｅＮｏｄｅＢの前記輻輳状態が前記通常輻輳状態から前記メジャー輻輳状態に遷移したとの判断に応答して、前記第１の電気通信ネットワーク内に非輻輳ターゲットｅＮｏｄｅＢがあるかどうかを判断することと、
前記ターゲットｅＮｏｄｅＢが非輻輳であるとの判断に応答して、前記ターゲットｅＮｏｄｅＢへのワイヤレスデバイスのＳ１ベースのハンドオーバ手順を開始することと、
前記第１の電気通信ネットワーク内に非輻輳ターゲットｅＮｏｄｅＢがないとの判断に応答して、前記ワイヤレスデバイスのサービス品質（ＱｏＳ）低減手順を開始するように、前記ｅＮｏｄｅＢに指示することと
を含む動作を、プロセッサ実行可能命令を用いて実行するように構成される、動的スペクトルアービトラージ（ＤＳＡ）システム。
【請求項１５】
非一時的なコンピュータ可読記憶媒体であって、
ｅＮｏｄｅＢから、通常輻輳状態、マイナー輻輳状態、メジャー輻輳状態、またはクリティカル輻輳状態の何れか１つであるものとして輻輳状態情報を受信することによって、第１の電気通信ネットワーク内の前記ｅＮｏｄｅＢの輻輳状態をモニタすることと、
前記ｅＮｏｄｅＢの前記輻輳状態が前記通常輻輳状態から前記メジャー輻輳状態に遷移したと判断することと、
前記ｅＮｏｄｅＢの前記輻輳状態に基づいて前記ｅＮｏｄｅＢの前記使用を制御することとを含み、
前記ｅＮｏｄｅＢの前記輻輳状態に基づいて前記ｅＮｏｄｅＢの前記使用を制御することは、
前記ｅＮｏｄｅＢの前記輻輳状態が前記通常輻輳状態から前記メジャー輻輳状態に遷移したとの判断に応答して、動的スペクトルポリシコントローラ（ＤＰＣ）と通信して、前記ＤＰＣに、前記第１の電気通信ネットワークへのさらなるハンドオーバを制限するように第２の電気通信ネットワーク内の第２のＤＳＣに指示させ、ハンドオーバを制限すべき所望のクローズド加入者グループ識別子（ＣＳＧ  ＩＤ）を前記第２のＤＳＣに対して識別し、及び前記ＣＳＧ  ＩＤに関連付けられたワイヤレスデバイスのローミングをディセーブルするよう前記第２の電気通信ネットワーク内のホーム移動性管理実体（ＭＭＥ）コンポーネントに指示するように、前記第２のＤＳＣに指示することと、
前記ｅＮｏｄｅＢの前記輻輳状態が前記通常輻輳状態から前記メジャー輻輳状態に遷移したとの判断に応答して、前記第１の電気通信ネットワーク内に非輻輳ターゲットｅＮｏｄｅＢがあるかどうかを判断することと、
前記ターゲットｅＮｏｄｅＢが非輻輳であるとの判断に応答して、前記ターゲットｅＮｏｄｅＢへのワイヤレスデバイスのＳ１ベースのハンドオーバ手順を開始することと、
前記第１の電気通信ネットワーク内に非輻輳ターゲットｅＮｏｄｅＢがないとの判断に応答して、前記ワイヤレスデバイスのサービス品質（ＱｏＳ）低減手順を開始するように、前記ｅＮｏｄｅＢに指示することと
を含む動作を、動的スペクトルコントローラ（ＤＳＣ）のプロセッサに動作を実行させるように構成されるプロセッサ実行可能ソフトウェア命令が記憶された非一時的なコンピュータ可読記憶媒体。